(57)【特許請求の範囲】
【請求項１】
電解槽の原水供給側に電解質を供給する手段を設けると共に、イオン透過性隔膜で分割され、陰電極を挿入した陰極室と陽電極を挿入した陽極室との陰陽電極間に直流電圧を印加し、連続して電解槽に流入した原水を電解し、陽極水吐出管に配設したＯＲＰ計をもって陽極水使用の適合の是非を判断する電解水生成装置であって、上記手段と電解槽の間に原水供給管から分岐した流路を設け、該流路に薬剤供給手段を設けて、電解槽を逆洗するさい、少なくとも電解質を供給すると共に、該薬剤供給手段より有機酸を電解槽に供給した状態で逆洗を行うことを特徴とする電解水生成装置。
【発明の詳細な説明】
【０００１】
【産業上の利用分野】
この発明は、水道水を原水として使用する電解水生成装置の陽極室から吐出する陽極水を主に使用する装置に関するものである。更に詳述すると、このような装置の電解槽の陰極室上部および陰極室吐出管の付着物洗浄と陽極室吐出管に付設したＯＲＰ電極の保護に関するものである。
【０００２】
【従来の技術】
図２に示す電解水生成装置において、電解槽１は、電解槽内を隔膜２によって陰極室３と陽極室４に分け、夫夫の室内に電極５、６を挿入し、水道水などの原水をバルブ８をもって開閉自在に流入し、給水管１０に電解質供給槽９から電解質を所定量添加した後、給水管１０から分岐した給水管１１、１２をもって陰陽極室に給水する。陰陽極室内に供給した水道水などの原水を電極間に印加した直流電流７の通電によって電気分解することにより陰極室に陰極水を、陽極室に陽極水を電解生成するものである。電解された陰陽極水は夫夫の吐出管１３、１４から吐水する。陽極水吐出管１４には吐出した陽極水の能力を確認するＯＲＰ計の電極１５が設置してある。
【０００３】
電解槽供給前の原水中に電解質としてＮａＣｌ、ＫＣｌなどのハロゲン化合物を一定の割合で添加して、電解槽で電気分解すると、電解質を構成するアニオンは陽極室に移動する。この結果、陽極室にはＨＣｌＯ、ＣｌＯ-など、消毒および殺菌効果のあるアニオンを多量に含んだ低いｐＨの陽極水が得られる。この水には消毒および殺菌効果があるため、消毒および殺菌用洗浄用水として使用される。
【０００４】
ところがこのような陽極水を主に得る装置においては陽極水に伴生して極めてｐＨの高い陰極水が吐出する。水道水などの原水中にはＣａイオンが存在するがＣａイオンは高いｐＨの領域で炭酸カルシウムや水酸化カルシウムとなって沈殿し、次第に電解槽の上部や吐出管路などを閉塞する。
【０００５】
このため、一定時間の吐水ごとに電解質の電解槽への流入を止めると共に、陰陽極に印加する電圧の方向を逆転する逆洗をして、陰電極や陰極室中の陰極水に析出する上記カルシウム塩を洗浄し、溶解させることが行われている。この結果、付着した炭酸カルシウムや水酸化カルシウムは溶解する。ところがこの方法で上記の洗浄を行っても陰極室上部近傍の電解電流密度の小さい領域や陰極吐出管などは十分に逆洗されず、洗浄効果がでにくい面がある。また、洗浄を逆洗のみで行おうとすると長時間の逆洗をしなければならず、この間の電解電流に無駄が生じる。
【０００６】
逆洗の際、陽極室から吐水する陰極水は高いｐＨのアルカリ性を示す。陽極室吐水管に配設されたＯＲＰ計は低いｐＨの酸性水の酸化還元電位を測るための装置であり、これに適合する電極構造に形成されているので、高いｐＨのアルカリ水に一旦触れるとその後正確な値を示さなくなったり、正確な値を示すまでに長時間を要することとなる。陽極水使用者は陽極水の能力をＯＲＰ計の表示に従って判断する。上記のように、逆洗が終わって通常の陽極水が流れても暫くの間はＯＲＰ計の表示が正しくないとすると、陽極水使用者はその間の吐水を排水することになる。ところが、陽極水そのものはＯＲＰの表示が正しくないだけで、実際は能力のある状態で吐水されている可能性があり、その間の排水は無駄になる。
【０００７】
【発明が解決しようとする課題】
そこで本発明は、陽極水を主に使用する装置において、電解質供給槽と電解槽との間に薬液添加槽を設けると共に、薬液添加槽に有機酸からなる薬剤を収納して、上記逆洗中は少なくとも原水に電解質を添加しながら、原水に上記薬剤を添加して供給することにより、陰極室に供給する原水のｐＨを低くして供給し、陰極室上部近傍および陰極吐出管のカルシウムの析出物を除去しようとするものである。
【０００８】
また、陽極室から吐出する陰極水のｐＨを低くしてＯＲＰ計の電極を保護することにより、正常運転に移行した場合、陽極室から吐水する陽極水のＯＲＰを直に正しく表示させようとするものである。
【０００９】
【課題を解決するための手段】
本発明の電解水生成装置は、電解槽の原水供給側に電解質を供給する手段を設けると共に、イオン透過性隔膜で分割され、陰電極を挿入した陰極室と陽電極を挿入した陽極室との陰陽電極間に直流電圧を印加し、連続して電解槽に流入原水を電解し、陽極水吐出管に配設したＯＲＰ計をもって陽極水使用の適合の是非を判断する電解水生成装置であって、上記手段と電解槽の間に原水供給管から分岐した流路を設け、該流路に薬剤供給手段を設けて、電解槽を逆洗するさい、少なくとも電解質を供給すると共に、該薬剤供給手段より有機酸を電解槽に供給した状態で逆洗を行うことを特徴とすることを要旨とするものである。
【００１０】
【作用】
本発明の、逆洗中の原水に電解質を供給すると共に、電解槽に薬剤を添加した原水を供給することにより、正常運転中にできた陰極室上部近傍の電解電流密度の小さい領域や陰極吐出管のカルシウム析出物を溶解することができる。
【００１１】
また、逆洗中に陽極室から吐水する陰極水のｐＨを低くして、陽極配管中に配設したＯＲＰ計の電極を損傷しないようにする。
【００１２】
しかも正常運転中は原水中の電解質の添加により、消毒および殺菌用洗浄用水を得ることができるものである。
【００１３】
【実施例】
図１は図２に対照される本発明の一実施例である。図２と重複する動作説明は省く。
【００１４】
図において、１は電解槽であり、８は水道水などの原水の流入を開閉するバルブであり、１０は電解質供給槽９から原水に添加した電解質が混入した水が流れる給水管であり、１１および１２は上記電解質が混入された原水を電解槽の陰極室および陽極室に給水する給水管であり、１３は陰極室の吐出管であり、１４は陽極室の吐出管であり、１５は吐出管１４途中に配設された陽極吐水の性能を確認するＯＲＰ計の電極であり、１６は電解質供給槽９と電解槽との間に配設され、しかも給水管１０から分岐した給水管１７を介して薬剤を挿入する薬剤供給手段を構成する添加筒であり、１８はその流出管であり、１９は薬剤に供給する原水を開閉するバルブである。
【００１５】
逆洗に際して、電解質を添加しながら逆洗する。そしてバルブ１９を開放すると原水の一部は給水管１７を介して添加筒１６に流れ、添加筒に薬剤が収納されているときは薬剤を溶解して流出管１８から給水管１１、１２を介して電解槽に供給される。
【００１６】
電解槽は逆洗のため陰陽極には正常運転に対して正負が反対の電圧が印加されている。このため、陰極室には陽極水が、陽極室には陰極水が生成される。バルブ８が閉鎖された状態での逆洗では各々の生成水は陰極室または陽極室に滞留し、陰極室では室内の体積物の溶解がなされる。また、バルブ８が開放された状態での逆洗では各々の生成水は陰極室および陽極室から吐出し洗浄を行う。
【００１７】
この際、陰極室に添加された薬剤は正常運転中にできた陰極室上部近傍の電解電流密度の小さい領域や陰極吐出配管のカルシウムの析出物を溶解することができる。
【００１８】
逆洗中に陽極室から吐出する陰極水を中和してそのｐＨを低くし、陽極配管中に配設したＯＲＰ計の電極の機能低下を防ぐことができる。
【００１９】
なお、逆洗時のときのみ添加筒に薬剤を入れることにより、バルブ１９を除去することができる。すなわち、逆洗に先立ち電解質の供給を停止すると共に添加筒に薬剤を供給する。その後バルブ８を開放して原水を供給することにより電解槽に薬剤が供給される。
【００２０】
薬剤として有機酸が使用される。有機酸としてリンゴ酸やコハク酸なども使用できるが、好適にはクエン酸が使用できる。
【００２１】
薬剤を挿入する添加筒は密閉性のある容器で、逆洗に先立ち、例えば、結晶状の上記クエン酸を詰める。これにより、逆洗の期間だけに上記有機酸を供給することができる。薬剤の供給量は添加筒の大きさにより任意に設定できる。
【００２２】
【発明の効果】
本発明の構成により、逆洗中においても電解質を供給すると共に、原水に薬剤を添加して電解槽に供給することにより、正常運転中にできた陰極室上部近傍の電解電流密度の小さい領域や陰極吐出配管のカルシウムの析出物を溶解することができる。
【００２３】
逆洗中に陽極室から吐出する陰極水を中和してそのｐＨを低くし、陽極配管中に配設したＯＲＰ計の電極の機能低下を事前に防ぐことができる。
【００２４】
この結果、装置を長期に亘りメインテナンスすることなく、所望により電解槽に流入する水に電解質を加えて電気分解を行い消毒および殺菌用洗浄用水を積極的に得ることができる。
【図面の簡単な説明】
【図１】本発明に関わる電解水生成装置の一実施例である。
【図２】電解水生成装置の従来例である。
【符号の説明】
１  電解槽
９  電解質供給槽
１０  給水管
１１  給水管
１２  給水管
１５  ＯＲＰ計の電極
１６  添加筒
１８  流出口
１９  バルブ
【図１】
0003641752.tif 000002
【図２】
0003641752.tif 000003